(57)【要約】【課題】  本発明は、横たわった人のベッドに接する側も効果的に加熱する高効率サウナベッドを提供すること。【解決手段】  本発明の高効率サウナベッド１０は、開閉カバー１５が設けられた箱型のサウナ本体１１と、下側には過熱水蒸気を発生する過熱水蒸気発生装置３０を設け上側には過熱水蒸気により加熱するセラミック加熱ユニット２０を設け、サウナ本体１１の内部に設置される加熱ベッド１６とを備えるとともに、加熱ベッド１６は、過熱水蒸気発生装置３０よりの過熱水蒸気が上方に吐出する過熱水蒸気吐出穴１８を設けることとした。【選択図】図１
2018079263.tif 000002
【特許請求の範囲】
【請求項１】
開閉カバーが設けられた箱型のサウナ本体と、下側には過熱水蒸気を発生する過熱水蒸気発生装置を設け上側には前記過熱水蒸気により加熱するセラミック加熱ユニットを設け、前記サウナ本体の内部に設置される加熱ベッドとを備えるとともに、前記加熱ベッドは、前記過熱水蒸気発生装置よりの前記過熱水蒸気が上方に吐出する過熱水蒸気吐出穴を設けることとしたことを特徴とする高効率サウナベッド。
【請求項２】
開閉カバーが設けられた箱型のサウナ本体と、下側には過熱水蒸気を発生する過熱水蒸気発生装置を設け上側には前記過熱水蒸気により加熱するセラミック加熱ユニットを設け、前記サウナ本体の内部に設置される加熱ベッドと、前記加熱ベッドの上側端部に設置され側面には前記過熱水蒸気により加熱するセラミック加熱ユニットを設けた足裏加熱器とを備えるとともに、前記加熱ベッドは、前記過熱水蒸気発生装置よりの前記過熱水蒸気が上方に吐出する過熱水蒸気吐出穴を設けることとしたことを特徴とする高効率サウナベッド。
【請求項３】
開閉カバーが設けられた箱型のサウナ本体と、下側には過熱水蒸気を発生する過熱水蒸気発生装置を設け上側には前記過熱水蒸気により加熱するセラミック加熱ユニットを設け、前記サウナ本体の内部に設置される加熱ベッドとを備えるとともに、前記箱型のサウナ本体の内部も加熱空気により加熱することとしたことを特徴とする高効率サウナベッド。
【請求項４】
前記セラミック加熱ユニットは、円筒型の凹部を形成したアルミ板と、前記アルミ板の前記円筒型の凹部に設置された熱伝導率の高い熱伝導板と、前記熱伝導率の高い熱伝導板に重ねられた円形セラミックとで構成することとしたことを特徴とする請求項１から請求項３のいずれかに記載の高効率サウナベッド。
【請求項５】
前記セラミック加熱ユニットは、円筒型のアルミ板と、前記円筒型のアルミ板の底部に設置された熱伝導率の高い熱伝導板と、前記熱伝導率の高い熱伝導板に重ねられた円形セラミックとで構成する円筒型のセラミック加熱ユニットとしたことを特徴とする請求項１から請求項３のいずれかに記載の高効率サウナベッド。
【発明の詳細な説明】
【技術分野】
【０００１】  本発明は、横たわった人のベッドに接する側も効果的に加熱する高効率サウナベッドに関する。
【背景技術】
【０００２】  従来のサウナベッドには、箱型のサウナ室にベッドが設けられベッドに横たわった人の上を加熱した空気が循環するものがある（例えば特許文献１参照）。
【先行技術文献】
【特許文献】
【０００３】
【特許文献１】  特表平１０−５０８７７６号公報
【発明の概要】
【発明が解決しようとする課題】
【０００４】  しかしながら、従来のサウナベッドは、ベッドに横たわった人の上を加熱した空気が循環し身体を加熱することはできるが、身体のベッドに接する側は加熱されず身体が的確に加熱されないのではという問題があった。
本発明は、上記に鑑みてなされたものであって、横たわった人のベッドに接する側も効果的に加熱する高効率サウナベッドを提供することを目的とする。
【課題を解決するための手段】
【０００５】  本発明の高効率サウナベッドは、開閉カバーが設けられた箱型のサウナ本体と、下側には過熱水蒸気を発生する過熱水蒸気発生装置を設け上側には前記過熱水蒸気により加熱するセラミック加熱ユニットを設け、前記サウナ本体の内部に設置される加熱ベッドとを備えるとともに、前記加熱ベッドは、前記過熱水蒸気発生装置よりの前記過熱水蒸気が上方に吐出する過熱水蒸気吐出穴を設けることとした。
本発明の高効率サウナベッドは、開閉カバーが設けられた箱型のサウナ本体と、下側には過熱水蒸気を発生する過熱水蒸気発生装置を設け上側には前記過熱水蒸気により加熱するセラミック加熱ユニットを設け、前記サウナ本体の内部に設置される加熱ベッドと、前記加熱ベッドの上側端部に設置され側面には前記過熱水蒸気により加熱するセラミック加熱ユニットを設けた足裏加熱器とを備えるとともに、前記加熱ベッドは、前記過熱水蒸気発生装置よりの前記過熱水蒸気が上方に吐出する過熱水蒸気吐出穴を設けることとした。
本発明の高効率サウナベッドは、開閉カバーが設けられた箱型のサウナ本体と、下側には過熱水蒸気を発生する過熱水蒸気発生装置を設け上側には前記過熱水蒸気により加熱するセラミック加熱ユニットを設け、前記サウナ本体の内部に設置される加熱ベッドとを備えるとともに、前記箱型のサウナ本体の内部も加熱空気により加熱することとした。
前記セラミック加熱ユニットは、円筒型の凹部を形成したアルミ板と、前記アルミ板の前記円筒型の凹部に設置された熱伝導率の高い熱伝導板と、前記熱伝導率の高い熱伝導板に重ねられた円形セラミックとで構成することとした。
前記セラミック加熱ユニットは、円筒型のアルミ板と、前記円筒型のアルミ板の底部に設置された熱伝導率の高い熱伝導板と、前記熱伝導率の高い熱伝導板に重ねられた円形セラミックとで構成する円筒型のセラミック加熱ユニットとした。
【発明の効果】
【０００６】  本発明の高効率サウナベッドは、開閉カバーが設けられた箱型のサウナ本体と、下側には過熱水蒸気を発生する過熱水蒸気発生装置を設け上側には前記過熱水蒸気により加熱するセラミック加熱ユニットを設け、前記サウナ本体の内部に設置される加熱ベッドとを備えるとともに、前記加熱ベッドは、前記過熱水蒸気発生装置よりの前記過熱水蒸気が上方に吐出する過熱水蒸気吐出穴を設けることとしたため、加熱ベッドに上向きに横になった人の背中が温められるとともに、過熱水蒸気により箱型のサウナ本体のサウナ室でもある内部も加熱され上向きに横になった人の上側も温められ、上向きに横になった人の全体が温められる。
本発明の高効率サウナベッドは、開閉カバーが設けられた箱型のサウナ本体と、下側には過熱水蒸気を発生する過熱水蒸気発生装置を設け上側には前記過熱水蒸気により加熱するセラミック加熱ユニットを設け、前記サウナ本体の内部に設置される加熱ベッドと、前記加熱ベッドの上側端部に設置され側面には前記過熱水蒸気により加熱するセラミック加熱ユニットを設けた足裏加熱器とを備えるとともに、前記加熱ベッドは、前記過熱水蒸気発生装置よりの前記過熱水蒸気が上方に吐出する過熱水蒸気吐出穴を設けることとしたため、加熱ベッドに上向きに横になった人の背中が温められるとともに、過熱水蒸気により箱型のサウナ本体のサウナ室でもある内部も加熱され上向きに横になった人の上側も温められ、さらに足裏も温めることが出来る。
本発明の高効率サウナベッドは、開閉カバーが設けられた箱型のサウナ本体と、下側には過熱水蒸気を発生する過熱水蒸気発生装置を設け上側には前記過熱水蒸気により加熱するセラミック加熱ユニットを設け、前記サウナ本体の内部に設置される加熱ベッドとを備えるとともに、前記箱型のサウナ本体の内部も加熱空気により加熱することとしたため、加熱ベッドに上向きに横になった人の背中が温められるとともに、箱型のサウナ本体のサウナ室でもある内部も加熱空気により加熱され上向きに横になった人の上側も温められ、上向きに横になった人の全体が温められる。
前記セラミック加熱ユニットは、円筒型の凹部を形成したアルミ板と、前記アルミ板の前記円筒型の凹部に設置された熱伝導率の高い熱伝導板と、前記熱伝導率の高い熱伝導板に重ねられた円形セラミックとで構成することとしたため、アルミ板の底部より円形セラミックに高効果で熱を伝えることができる。
前記セラミック加熱ユニットは、円筒型のアルミ板と、前記円筒型のアルミ板の底部に設置された熱伝導率の高い熱伝導板と、前記熱伝導率の高い熱伝導板に重ねられた円形セラミックとで構成することとした円形セラミックとで構成する円筒型のセラミック加熱ユニットとしたため、アルミ板の底部より円形セラミックに高効果で熱を伝えることができるとともに、レイアウトを容易に自在とすることができる。
【図面の簡単な説明】
【０００７】
【図１】  本発明の第１の実施形態の高効率サウナベッドの斜視図を示す。
【図２】  本発明の第１の実施形態の高効率サウナベッドで使用するセラミック加熱ユニットの図を示し、図２（Ａ）は断面図を示し。図２（Ｂ）は平面図を示す。
【図３】  本発明の第１の実施形態の高効率サウナベッドで使用するセラミック加熱ユニットが床板に取付られたときの断面図を示す。
【図４】  本発明の第１の実施形態の高効率サウナベッドで使用する過熱水蒸気発生装置の側面図を示す。
【図５】  本発明の第２の実施形態の高効率サウナベッドの斜視図を示す。
【図６】  本発明の第３の実施形態の高効率サウナベッドの斜視図を示す。
【図７】  円筒型のセラミック加熱ユニットの図を示し、図２（Ａ）は断面図を示し。図２（Ｂ）は平面図を示す。
【図８】  図４に記載の過熱水蒸気発生装置の右側面図を示す。
【発明を実施するための形態】
【０００８】  以下、本発明の第１の実施形態の高効率サウナベッドにつき説明する。
【実施例１】
【０００９】  図１は、本発明の第１の実施形態の高効率サウナベッドの斜視図を示す。
図１に示すように、本発明の第１の実施形態の高効率サウナベッド１０は、箱型のサウナ本体１１と、サウナ本体１１の中に設けられ人が横たわる加熱ベッド１６とが設けられている。
箱型のサウナ本体１１は、左側面を形成する左側面部１２と、右側面を形成する右側側面部１３と、背面を形成する背面部１４と、人が出入する開閉カバー１５とで構成されている。
人が横たわる加熱ベッド１６は、箱型のサウナ本体１１の中に水平に設置され、床板１７の上面にセラミック加熱ユニット２０が設けられるとともに下面に過熱水蒸気を発生する過熱水蒸気発生装置３０が設けられたものである。【００１０】  過熱水蒸気発生装置３０は、上面が開口し床板１７の下側に取り付けられ、過熱水蒸気を発生し発生した過熱水蒸気はセラミック加熱ユニット２０の加熱に使用される。
セラミック過熱器２０は、詳細を図２、図３に示すが、加熱ベッド１６の上側に設けられ、過熱水蒸気発生装置３０に発生した過熱水蒸気により加熱される。
そのため、加熱ベッド１６の上方で横になった人は下側が温められ、上向きに横になった人は背中が温められる。
加熱ベッド１６は、床板１７に過熱水蒸気吐出穴１８が形成され、過熱水蒸気吐出穴１８より過熱水蒸気発生装置３０で発生した過熱水蒸気Ｋが吐出する。
従って、加熱ベッド１６により上向きに横になった人の背中が温められるとともに、過熱水蒸気Ｋにより箱型のサウナ本体１１のサウナ室でもある内部も加熱され上向きに横になった人の上側も温められ、上向きに横になった人の全体が温められる。【００１１】  図２は、本発明の第１の実施形態の高効率サウナベッドで使用するセラミック加熱ユニットの図を示し、図２（Ａ）は断面図を示し。図２（Ｂ）は平面図を示す。
図２（Ａ）のセラミック加熱ユニットの断面図に示すように、セラミック加熱ユニット２０は、凹部２２の形成されたアルミ板２１と、熱伝導率の高い熱伝導板２３と、上面に凸部２４ａが設けられた円形セラミック２４とで形成される。
アルミ板２１には凹部２２が形成され、アルミ板２１の第１の円形凹部２２ａに熱伝導率の高い熱伝導板２３が設置され、さらにアルミ板２１の第２の円形凹部２２ｂに円形セラミック２４が重ねられ、ネジ穴２６ａ、２６ｂと、ネジ取付穴２６ｃとにより、アルミ板２１と熱伝導率の高い熱伝導板２３と円形セラミック２４とがネジ２７で固定されセラミック加熱ユニット２０が形成する。
図２（Ｂ）のセラミック加熱ユニットの平面図に示すように、加熱ベッド１６の床板１７には四角のアルミ板２１により縦横に４個のセラミック加熱ユニット２０が１組のユニットとなって設けられている。【００１２】  図３は、本発明の第１の実施形態の高効率サウナベッドで使用するセラミック加熱ユニットが床板に取付られたときの断面図を示す。
図３に示すように、セラミック加熱ユニット２０は、床板１７を貫通する貫通穴１７ａに取付られる。床板１７の下側には図１に示す過熱水蒸気発生装置３０が設けられており、過熱水蒸気発生装置３０で発生した過熱水蒸気Ｋが床板１７を貫通する貫通穴１７ａに送入する。
過熱水蒸気発生装置３０よりの過熱水蒸気Ｋは，床板１７を貫通する貫通穴１７ａに送入して凹部２２の形成されたアルミ板２１を加熱し、さらに、熱伝導率の高い熱伝導板２３と、上面に凸部２４ａが設けられた円形セラミック２４とを加熱する。円形セラミック２４からは熱Ｓが送出する。【００１３】  そのため、上向きに横になった人の背中が温められるとともに、箱型のサウナ本体１１の内部も加熱され上向きに横になった人の上側も温められ、上向きに横になった人の全体が温められる。熱伝導板２３は、熱伝導率の高いもので形成されているため、アルミ板２１の底部より円形セラミック２４に高効果で熱を伝えることができる。【００１４】  図４は、本発明の第１の実施形態の高効率サウナベッドで使用する過熱水蒸気発生装置の側面図を示す。
図４に示すように、本発明の第１の実施形態の過熱水蒸気発生装置３０は、加湿器３４と、外部より空気を送出する電動ファン３３と、加湿器３４より送出する蒸気と電動ファン３３より送出する空気とを混合した加湿空気を加熱し過熱水蒸気を送出する加熱ダクト３１とで構成している。【００１５】  加湿器３４は、貯留槽３２より送出の水の貯留水を加熱し蒸気を発生させ、発生した蒸気Ｐは連結管３７より加熱ダクト３１に送出する。また、電動ファン３３より送出する空気Ｅも送出管３３ａにより加熱ダクト３１に送入する。【００１６】  加熱ダクト３１は、水平方向に設けられ、コイル形の加熱器３５が加熱ダクト３１の外筒３６の内側に設けられており、加湿器３４より送出する蒸気Ｐと電動ファン３３より送出する空気Ｅとが混合した加湿空気をコイル形の加熱器３５により加熱し、過熱水蒸気Ｋとして送出口３６ａより送出する。【００１７】  従って、本発明の第１の実施形態の高効率サウナベッドで使用する過熱水蒸気発生装置３０は、加湿器３４より発生した蒸気Ｐと外部よりの空気Ｅとが混合し生成した加湿空気をコイル形の加熱器３５により加熱し、過熱水蒸気を送出することができる。
【実施例２】
【００１８】  以下、本発明の第２の実施形態の高効率サウナベッドにつき説明する。
【実施例２】
【００１９】  図５は、本発明の第２の実施形態の高効率サウナベッドの斜視図を示す。
図５に示すように、本発明の第２の実施形態の高効率サウナベッド６０は、箱型のサウナ本体６１と、サウナ本体６１の中に設けられ人が横たわる加熱ベッド６６とが設けられている。さらに、加熱ベッド６６は、上側端部に足裏加熱器４０が設置されている。
箱型のサウナ本体６１は、左側面を形成する左側面部６２と、右側面を形成する右側側面部６３と、背面を形成する背面部６４と、人が出入する開閉カバー６５とで構成されている。
人が横たわる加熱ベッド６６は、箱型のサウナ本体６１の中に水平に設置され、床板６７の上面にセラミック加熱ユニット２０が設けられるとともに下面に過熱水蒸気を発生する過熱水蒸気発生装置３０が設けられたものである。【００２０】  過熱水蒸気発生装置３０は、上面が開口し床板６７の下側に取り付けられ、過熱水蒸気を発生し発生した過熱水蒸気はセラミック加熱ユニット２０の加熱に使用される。
セラミック過熱器２０は、詳細を図２、図３に示すが、加熱ベッド６６の上側に設けられ、過熱水蒸気発生装置３０に発生した過熱水蒸気により加熱される。
そのため、加熱ベッド６６の上方で横になった人は下側が温められ、上向きに横になった人は背中が温められる。
加熱ベッド６６は、床板６７に過熱水蒸気吐出穴６８が形成され、過熱水蒸気吐出穴６８より過熱水蒸気発生装置３０で発生した過熱水蒸気Ｋが吐出する。
足裏加熱器４０は、過熱水蒸気発生装置３０で発生し足裏加熱器４０の下面に設けた穴（図示せず）より送入する過熱水蒸気により加熱するセラミック加熱ユニットが側面に設けられている。足裏加熱器４０により、加熱ベッド６６に横になった人は足裏を温めることが出来る。【００２１】  従って、加熱ベッド６６により上向きに横になった人の背中が温められるとともに、過熱水蒸気Ｋにより箱型のサウナ本体６１のサウナ室でもある内部も加熱され上向きに横になった人の上側も温められ、さらに足裏も温めることが出来る。
【実施例３】
【００２２】  図６は、本発明の第３の実施形態の高効率サウナベッドの斜視図を示す。
図６に示すように、本発明の第３の実施形態の高効率サウナベッド７０は、箱型のサウナ本体７１と、サウナ本体７１の中に設けられ人が横たわる加熱ベッド７６とが設けられている。
箱型のサウナ本体７１は、左側面を形成する左側面部７２と、右側面を形成する右側側面部７３と、背面を形成する背面部７４と、人が出入する開閉カバー７５とで構成されている。
人が横たわる加熱ベッド７６は、箱型のサウナ本体７１の中に水平に設置され、床板７７の上面にセラミック加熱ユニット２０が設けられるとともに下面に過熱水蒸気を発生する過熱水蒸気発生装置３０が設けられたものである。【００２３】  過熱水蒸気発生装置３０は、上面が開口し床板７７の下側に取り付けられ、過熱水蒸気を発生し発生した過熱水蒸気はセラミック加熱ユニット２０の加熱に使用される。
セラミック過熱器２０は、詳細を図２、図３に示すが、加熱ベッド７６の上側に設けられ、過熱水蒸気発生装置３０に発生した過熱水蒸気により加熱される。
そのため、加熱ベッド７６の上方で横になった人は下側が温められ、上向きに横になった人は背中が温められる。箱型のサウナ本体７１のサウナ室でもある内部も加熱空気により加熱される。【００２４】  従って、加熱ベッド７６により上向きに横になった人の背中が温められるとともに、箱型のサウナ本体７１のサウナ室でもある内部も加熱空気により加熱され上向きに横になった人の上側も温められ、上向きに横になった人の全体が温められる。【００２５】  図７は、円筒型のセラミック加熱ユニットの図を示し、図７（Ａ）は断面図を示し。図７（Ｂ）は平面図を示す。
図７（Ａ）の円筒型のセラミック加熱ユニットの断面図に示すように、円筒型のセラミック加熱ユニット８０は、凹部８２の形成された円筒型のアルミ板８１と、熱伝導率の高い熱伝導板８３と、上面に凸部８４ａが設けられた円形セラミック８４とで形成される。
アルミ板８１には凹部８２が形成され、アルミ板８１の第１の円形凹部８２ａに熱伝導率の高い熱伝導板８３が設置され、さらにアルミ板８１の第２の円形凹部８２ｂに円形セラミック８４が重ねられ、ネジ穴８６ａ、８６ｂと、ネジ取付穴８６ｃとにより、アルミ板８１と熱伝導率の高い熱伝導板８３と円形セラミック８４とがネジ８７で固定され円筒型のセラミック加熱ユニット８０が形成する。円筒型のセラミック加熱ユニット８０は、アルミ板８１の下方の凸部８１ａを床板の穴に挿入し設置する。【００２６】  図７（Ｂ）の円筒型のセラミック加熱ユニットの平面図に示すように、円筒型のセラミック加熱ユニット８０は床板の複数の穴に自在に設置することができ、レイアウトを容易に自在とすることができる。【００２７】  従って、円筒型のセラミック加熱ユニット８０は、熱伝導板８３が熱伝導率の高いもので形成されているため、アルミ板８１の底部より円形セラミック８４に高効果で熱を伝えることができるとともに、レイアウトを容易に自在とすることができる。【００２８】  図８は、図４に記載の過熱水蒸気発生装置の右側面図を示す。
図８に示すように、過熱水蒸気発生装置の過熱水蒸気Ｋの送出口３６ａには、円周に沿って羽３６ａが外側に向け設けられている。そのため、過熱水蒸気Ｋは送出口３６ａより的確の広がりで送出する。
【産業上の利用可能性】
【００２９】  本発明の高効率サウナベッドは、様々の施設で使用することができるが、その技術は医療機器などにも幅広く適用することができる。
【符号の説明】
【００３０】  １０  高効率サウナベッド
１１  サウナ本体
１２  左側面部
１３  右側面部
１４  背面部
１５  開閉カバー
１６  加熱ベッド
１７  床板
１８  過熱水蒸気吐出穴
２０  セラミック加熱ユニット
３０  過熱水蒸気発生装置
４０  足裏加熱器
８０  円筒型のセラミック加熱ユニット
【図１】
2018079263.tif 000003
【図２】
2018079263.tif 000004
【図３】
2018079263.tif 000005
【図４】
2018079263.tif 000006
【図５】
2018079263.tif 000007
【図６】
2018079263.tif 000008
【図７】
2018079263.tif 000009
【図８】
2018079263.tif 000010